(57)【特許請求の範囲】
【請求項１】
光源を収容する灯具本体と、基端部が前記灯具本体に回動自在に連結され先端側が前記灯具本体に対して開く蓋体とを備えた照明器具において、
互いの端部に設けた長孔に支持ピンを通して連結した灯具側可動リンク、及び蓋体側可動リンクを有し、前記灯具本体側に前記灯具側可動リンクの一端が固定され、前記蓋体側に前記蓋体側可動リンクの他端が固定され前記蓋体を９０度以上開いたときに前記灯具側可動リンク、及び前記蓋体側可動リンクが略直線状に最大に伸びて支持する長さを有するとともに、前記蓋体を９０度よりも小さい角度に開いた状態で前記灯具側可動リンク側に前記蓋体側可動リンクが前記長孔によって移動することで縮んだ状態で略直線状となるように前記長さが伸縮自在に構成され折り曲げ自在なリンク機構と、
開蓋に連動して前記蓋体が９０度よりも小さい角度に開き前記リンク機構が略直線状になった状態で前記灯具側可動リンク側に前記長孔によって移動した前記蓋体側可動リンクの端部に当接して閉蓋方向に前記蓋体側可動リンクが回動するのを規制する、前記灯具側可動リンクに設けられたストッパ板を有し、略直線になった前記リンク機構の折り曲げを前記ストッパ板により規制して閉蓋不能にロックするストッパ機構と
を有する蓋体支持装置を備えたことを特徴とする照明器具。
【請求項２】
前記リンク機構の折り曲げ方向を閉蓋に連動して誘導する誘導片を有することを特徴とする請求項１に記載の照明器具。
【発明の詳細な説明】
【技術分野】
【０００１】
本発明は、本体に対して蓋体を開いた状態で支持する蓋体支持装置を用いて好適な照明器具に関する。
【背景技術】
【０００２】
従来、本体に対して開閉可能に連結された蓋体の開閉構造において、本体と蓋体とを連結するリンク機構と、このリンク機構が所定の角度だけ開いたときに当該リンク機構に作用し、蓋体を倒伏不能な状態で保持させるストッパ機構とを備えたヒンジ装置が知られている（例えば、特許文献１参照）。
【特許文献１】特開２００７−４５４９７号公報
【発明の開示】
【発明が解決しようとする課題】
【０００３】
しかしながら、従来のヒンジ装置においては、開蓋に連動して自動でストッパ機構を作動させるためにガススプリング等の装置を用いておりコストが高くなる、という問題がある。
本発明は、上述した事情に鑑みてなされたものであり、ガススプリング等の別途の装置を用いることなく、開蓋に連動してストッパ機構を作動させ、蓋体を支持することができる蓋体支持装置を備える照明器具を提供することを目的とする。
【課題を解決するための手段】
【０００４】
上記目的を達成するために、本発明は、光源を収容する灯具本体と、基端部が前記灯具本体に回動自在に連結され先端側が前記灯具本体に対して開く蓋体とを備えた照明器具において、互いの端部に設けた長孔に支持ピンを通して連結した灯具側可動リンク、及び蓋体側可動リンクを有し、前記灯具本体側に前記灯具側可動リンクの一端が固定され、前記蓋体側に前記蓋体側可動リンクの他端が固定され前記蓋体を９０度以上開いたときに前記灯具側可動リンク、及び前記蓋体側可動リンクが略直線状に最大に伸びて支持する長さを有するとともに、前記蓋体を９０度よりも小さい角度に開いた状態で前記灯具側可動リンク側に前記蓋体側可動リンクが前記長孔によって移動することで縮んだ状態で略直線状となるように前記長さが伸縮自在に構成され折り曲げ自在なリンク機構と、開蓋に連動して前記蓋体が９０度よりも小さい角度に開き前記リンク機構が略直線状になった状態で前記灯具側可動リンク側に前記長孔によって移動した前記蓋体側可動リンクの端部に当接して閉蓋方向に前記蓋体側可動リンクが回動するのを規制する、前記灯具側可動リンクに設けられたストッパ板を有し、略直線になった前記リンク機構の折り曲げを前記ストッパ板により規制して閉蓋不能にロックするストッパ機構とを有する蓋体支持装置を備えたことを特徴とする。
【０００５】
また本発明は、上記発明において、前記リンク機構の折り曲げ方向を閉蓋に連動して誘導する誘導片を有することを特徴とする。
【発明の効果】
【０００８】
本発明によれば、リンク機構と、開蓋に連動してリンク機構を略直線状に保持するストッパ機構とを備える構成とした。このように、開蓋に連動してストッパ機構がリンク機構を規制するため、ガススプリング等の別途の装置を用いずとも、係合構造だけで、開蓋に連動してストッパ機構を作動させ蓋体を支持することができる。
【発明を実施するための最良の形態】
【０００９】
以下、図面を参照して本発明の実施形態について説明する。
図１は本実施形態に係る照明器具２の外観構成を示す斜視図であり、図２は照明器具２の内部構成を示す斜視図である。この図２においては、照明器具２を開いた状態を示している。
照明器具２は、図１に示すように、道路脇に設けられた支柱３の上端に固定される灯具本体４と、この灯具本体４の上側に設けられた蓋体１とを有し、これら灯具本体４及び蓋体１によって灯体２Ａが構成されている。この灯体２Ａは、灯具本体４の基端部４Ａが支柱３に固定されることで、灯具本体４の先端部４Ｂが道路の路面に張り出すように設置される。
【００１０】
照明器具２は、図２に示すように、灯体２Ａに収容された光源たるランプ５と、このランプ５の放射光を反射する反射鏡２７とをさらに有している。灯体２Ａの下側を構成する灯具本体４の下面には、例えば強化ガラス等で形成された透光板１６が嵌め込まれる投光開口１５が形成されており、ランプ５から放射された光、及び、反射鏡２７によって反射された光が投光開口１５から透光板１６を透過して路面に照射され、これにより、道路照明が行われる。
【００１１】
図２に示すように、灯具本体４の基端部４Ａには、回動連結具としての２つのヒンジ２０，２０が配設され、これらのヒンジ２０，２０を介して蓋体１が灯具本体４に上方向に回動して開蓋可能に軸支されている。蓋体１を灯具本体４に対して上方向に回動して開蓋する構成とすることで、ヒンジ２０，２０が外れたり破損したりしたとしても、蓋体１が即落下或いは垂れ下がりに繋がることが無いようになされている。
ランプ交換や保守点検等の作業を行う際には、蓋体１を上方に開蓋して作業が行われ、蓋体１を開いた状態で作業する際に、蓋体１が邪魔にならないように、この蓋体１を灯具本体４に対して開いた状態で保持する蓋体支持装置５０が灯具本体４に設けられており、この蓋体支持装置５０の具体的な構成については、後に詳述する。
【００１２】
図１及び２に示すように、照明器具２の灯体２Ａの先端部４Ｂには、蓋体１の閉状態を確実に保持すべく、蓋体１を強固にロックするロック機構４０が設けられている。このロック機構は、ラッチによって蓋体１をロックする内側ラッチ装置３０と、この内側ラッチ装置３０を覆うように設けられ、ラッチによって蓋体１をロックする外側ラッチ装置３１とを有しており、これら内側ラッチ装置３０と外側ラッチ装置３１とによって、灯具本体４と蓋体１とが２重にラッチされ、蓋体１が強固にロックされる構成となっている。
これにより、道路脇の比較的高所に照明器具２を設置し、風雨や震動によって蓋体１を開こうとする比較的強い力が加わったとしても、蓋体１の開蓋が防止される。
【００１３】
灯具本体４の内部には本体側仕切壁６が設けられ、この本体側仕切壁６によって基端部４Ａ側の部品収納部７と、先端部４Ｂ側のランプ収納部９とに内部が仕切られている。
部品収納部７には、図３に示すように、その中央部に、支柱３に対する固設手段としての支柱固定部１０と、この支柱固定部１０に隣接して配置された端子台１３とが収められている。ランプ収納部９には、図２に示すように、ソケット取付台１４Ａと、このソケット取付台１４Ａに取り付けられ上記端子台１３に電気配線接続されたソケット１４と、このソケット１４に装着されたランプ５とが収められており、このランプ収納部９の下面に、上述した投光開口１５が形成されている。
【００１４】
上記支柱固定部１０は、図３に示すように、灯具本体４の下側から挿入された支柱３の上端部を受ける支柱受け部１１と、支柱受け部１１と支柱３の上端部とを固定する固定部材としての固定用ボルト１２とを有し、この固定用ボルト１２が、支柱３の上端部に穿設された図示せぬボルト孔にねじ込まれることで、支柱３に対する灯具本体４の固定、及び、支柱３を軸としての灯具本体４の回転止めが行われる。
【００１５】
図２に示すランプ５は、長軸を有する柱状のものが用いられ、ランプ収納部９において基端部４Ａ側から先端部４Ｂ側（支柱３から道路側）にかけて延びる姿勢でソケット１４に取り付けられており、照明器具２を中心として道路の交通方向に沿って略対称な配光が実現可能になされている。このランプ５としては、例えば水銀ランプや、高圧ナトリウムランプ等が用いられている。特に、高圧ナトリウムランプを用いることで、水銀ランプと比較して、省電力化を実現でき、ランニングコストの削減、及び、資源の有効活用が図られる。
【００１６】
また、図２に示すように、蓋体１の内部には蓋体側仕切壁２１が設けられ、この蓋体側仕切壁２１により、灯具本体４の部品収納部７及びランプ収納部９と対応して、その内部が、基端部４Ａ側の部品収納部覆い部２２と、先端部４Ｂ側の反射鏡収納部２４とに仕切られている。
部品収納部覆い部２２は、灯具本体４の部品収納部７を覆うカバー部材として機能し、反射鏡収納部２４には、上記反射鏡２７が収められている。
部品収納覆い部２２においては、蓋体１を閉状態としたときに、部品収納部７の両側の上縁部２９が、この部品収納部覆い部２２の内側に密接状態で入り込むことで、部品収納部７への風雨や異物の浸入防止が図られている。
また、反射鏡収納部２４には縁部に沿ってパッキン２４Ａが設けられており、蓋体１を閉状態としたときには、反射鏡収納部２４とランプ収納部９との接触部分がパッキン２４Ａによりシールされ、風雨や異物の浸入防止が図られている。
【００１７】
上記反射鏡２７は、ランプ５の放射光に対して高反射率を有する材料（例えばアルミニウム）を、略ドーム状に形成してなり、その内面には、実現すべき配光に応じた凹凸が形成されている。
この反射鏡２７は、蓋体１を閉じた状態において、灯具本体４側に位置し、この灯具本体４に収容されたランプ５の周囲を上側から覆う程度の寸法を有して形成されており、その基端部４Ａ側には、灯具本体４に配設されたソケット１４を避けるためのＵ字状の欠き部２８が形成されている。
さらに、反射鏡２７は、蓋体１を閉じたときに、縁部２７Ａが灯具本体４の下面に近接するように構成されており、反射鏡２７と灯具本体４との隙間からの漏れ光を抑制し、ランプ５の放射光のほとんどを灯具本体４の下面に形成した投光開口１５から取り出し可能になされている。
【００１８】
また、蓋体１を閉状態としたときには、灯具本体４の内部を仕切る本体側仕切壁６と、蓋体１の内部を仕切る蓋体側仕切壁２１とが当接し、これら本体側仕切壁６及び蓋体側仕切壁２１によって、灯具本体４のランプ収納部９と部品収納部７とが完全に分離される。このように、ランプ収納部９と部品収納部７とを分離することで、例えば支柱３と支柱固定部１０との隙間等から部品収納部７に入り込んだ煤煙等がランプ収納部９に入り込むことを防止し、上記透光板１６や反射鏡２７の汚染による効率の低下が防止される。
【００１９】
次いで、蓋体１を開いた状態で保持する上述した蓋体支持装置５０の構成について詳述する。
前掲図２に示すように、蓋体支持装置５０は灯体２Ａの左側に配設されており、蓋体１が閉じた状態においては、図３に示すように、折り畳まれてコンパクトになされた状態で部品収納部７に収納されている。
【００２０】
図４乃至図６は蓋体支持装置５０を拡大して示す図であり、図４は開蓋状態を示す斜視図、図５は開蓋状態を示す側面図、図６は閉蓋状態を示す側面図である。
これらの図に示すように、蓋体支持装置５０は、灯具本体４と蓋体１とを連結する折り曲げ自在なリンク機構５４と、灯具本体４に対して蓋体１が開いたときにリンク機構５４の折り曲げを規制し蓋体１を閉蓋不能に保持するストッパ機構７０とを備えて構成されている。
【００２１】
具体的には、リンク機構５４は、その一端５４Ａが灯具本体４の内側に固定され、他端５４Ｂが蓋体１の内側に固定されており、図２乃至図６に示すように、蓋体１の開閉に伴って、直線状の状態と折り曲げられた状態との間を遷移する。そして、開蓋状態においては、リンク機構５４が直線状になると共に、上記ストッパ機構７０がリンク機構５４の折り曲げを規制することで、リンク機構５４が直線状に保持される。このように直線状に保持されたリンク機構５４が、いわゆるつかえ棒として機能し、蓋体１が灯具本体４に対して閉蓋不能に保持されることとなる。
【００２２】
また、ストッパ機構７０によるリンク機構５４の規制が解かれると、リンク機構５４が折れ曲げり閉蓋可能になされ、蓋体１を完全に閉じたときには、図６に示すように、リンク機構５４が略Ｖ字状に折り畳まれコンパクトになった状態で部品収納部７に収納される。
このように、蓋体支持装置５０が備える蓋体支持手段として、蓋体１の開閉に伴って折り曲げ自在なリンク機構５４を用いる構成としたため、蓋体１を閉じたときに、リンク機構５４を折り曲げてコンパクトにした状態で収納することができ、省スペース化が図られる。
【００２３】
また、本実施形態においては、図２及び図３に示すように、リンク機構５４は、灯具本体４に連結される側の一端５４Ａが、灯具本体４内において基端部４Ａ側に配置されている。より正確には、リンク機構５４の一端５４Ａは、図３に示すように、灯具本体４の部品収納部７に、当該部品収納部７に収納された上記支柱固定部１０よりも、基端部４Ａ側に避けた位置に連結されている。
このような構成とすることで、蓋体１を開いた状態ときには、図２に示すように、リンク機構５４は、支柱固定部１０よりも基端部４Ａ側に逸れたところから蓋体１に向かって直線状に延びるため、リンク機構５４が灯具本体４の部品収納部７内に手を伸ばすときの邪魔になることが無い。
【００２４】
特に、本実施形態においては、図２及び図３に示すように、支柱固定部１０の支柱受け部１１を支柱３に固定する固定用ボルト１２が、リンク機構５４（蓋体支持装置５０）と同じ側に設けられているものの、リンク機構５４の一端５４Ａを支柱固定部１０よりも基端部４Ａ側に避けた位置に連結しているため、リンク機構５４が固定用ボルト１２の操作の邪魔になることが無く、これにより、安全かつ着実に固定用ボルト１２を操作することができる。
【００２５】
次いで、蓋体支持装置５０が備える上記リンク機構５４及びストッパ機構７０について、より詳細に説明する。
リンク機構５４は、一端部５１Ａが灯具本体４に螺子止め固定された灯具側固定リンク５１と、一端部５２Ａが取付台座部５３を介して蓋体１に螺子止め固定された蓋体側固定リンク５２と、上記灯具側固定リンク５１の他端部５１Ｂに一端部５６Ａが回動自在に支持ピン５５で支持された灯具側可動リンク５６と、上記蓋体側固定リンク５２の他端部５２Ｂに一端部５８Ａが回動自在に支持ピン５７で支持され他端部５８Ｂが上記灯具側可動リンク５６の他端部５６Ｂに支持ピン５９で回動自在に支持された蓋体側可動リンク５８とを有して構成されている。そして、灯具側可動リンク５６及び蓋体側可動リンク５８が支持ピン５９を中心に回動することで、上述のように折り曲げ（屈曲）自在になされている。なお、上記灯具側固定リンク５１を灯具本体４に一体的に形成して強度をより高める構成としても良く、また同様に、蓋体側固定リンク５２を蓋体１に一体的に形成して強度をより高める構成としても良い。
【００２６】
また、図６に示すように、閉蓋状態においては、リンク機構５４は、灯具側可動リンク５６及び蓋体側可動リンク５８が支持ピン５９を谷として略Ｖ字状に折れ曲がることで、上述したようにコンパクトになされた状態で灯体２Ａの部品収納部７に収められる。
この閉蓋状態から蓋体１を上方（図６中矢印Ａ）に開けると、この蓋体１に固定された蓋体側固定リンク５２が上方に引き上げられ、これに連動して、蓋体側可動リンク５８と、この蓋体側可動リンク５８に連結した灯具側可動リンク５６とが引き上げられる。このとき、灯具側可動リンク５６が、灯具側固定リンク５１に対して支持ピン５５を中心として蓋体１の回動方向（図６中矢印Ｂ）と同一方向（図６中矢印Ｃ）に回動することで、図５に示すように、灯具側可動リンク５６と蓋体側可動リンク５８との連結部分（折れ曲がり部分）が上方に引き上げられ、そして、さらに蓋体１が開かれることで、これら灯具側可動リンク５６と蓋体側可動リンク５８とが略直線状（棒状）に伸びた状態になる。
【００２７】
灯具側可動リンク５６及び蓋体側可動リンク５８の連結部分の構成について更に詳述すると、図４乃至図６に示すように、灯具側可動リンク５６の他端部５６Ｂ、及び、蓋体側可動リンク５８の他端部５８Ｂのそれぞれには、灯具側可動リンク５６及び蓋体側可動リンク５８の長手方向（図４中矢印Ｘで示す）に沿って延びる長孔６１，６２が形成されている。そして、両方の長孔６１、６２を支持ピン５９が貫通することで、灯具側可動リンク５６及び蓋体側可動リンク５８が回動自在に連結されると共に、さらに、図５に示すように、支持ピン５９が長孔６１、６２に沿って移動し、灯具側可動リンク５６及び蓋体側可動リンク５８が長手方向に伸縮自在に構成される。
【００２８】
上記ストッパ機構７０は、灯具側可動リンク５６及び蓋体側可動リンク５８が回動して直線状になったときに、閉蓋方向への蓋体側可動リンク５８の回動を規制するように作動し、灯具側可動リンク５６及び蓋体側可動リンク５８を直線状に保持することでリンク機構５４の折り曲げを規制する。これにより、リンク機構５４がつかえ棒として機能し、このリンク機構５４により蓋体１が閉蓋不能に保持されることとなる。
【００２９】
かかるストッパ機構７０の構成について詳述すると、ストッパ機構７０は、図４及び図５に示すように、灯具側可動リンク５６の他端部５６Ｂに設けられ、蓋体側可動リンク５８が支持ピン５９を中心に閉蓋する方向（図４及び図５中矢印Ｄ）に回動するのを規制するストッパ板７１を有している。
このストッパ板７１は、図４に示すように、灯具側可動リンク５６の他端部４５Ｂに形成した折曲片を折り曲げて形成されており、蓋体側可動リンク５８が長孔６２により灯具側可動リンク５６側に移動するにしたがって、すなわち、蓋体側可動リンク５８及び灯具側可動リンク５６の全長が縮んだ状態になるにしたがって、ストッパ板７１が蓋体側可動リンク５８の他端部５８Ｂの縁５８Ｃに当接し、これにより、閉蓋方向に蓋体側可動リンク５８が回動するのが規制され、蓋体側可動リンク５８及び灯具側可動リンク５６が略直線状になった状態が保持される。
これとは逆に、蓋体側可動リンク５８が長孔６２に沿って灯具側可動リンク５６から離れる方向に移動することで、蓋体側可動リンク５８の他端部５８Ｂとストッパ板７１との係合が解除され、蓋体側可動リンク５８及び灯具側可動リンク５６が支持ピン５９を中心に互いの連結部で折り曲げ自在となる。
【００３０】
以上の構成の下、蓋体支持装置５０においては、図７に示すように、蓋体１の開閉に伴って（Ａ）〜（Ｇ）のように作動する。
すなわち、閉蓋状態（図７の（Ｇ））から蓋体１を上方に開けるにしたがって、折り畳まれた状態のリンク機構５４は、蓋体１に連結されている側の一端５４Ｂが蓋体１と共に上方に引き上げられ（図７の（Ｅ）、（Ｆ））、そして、直線状になる（図７の（Ｃ））。
【００３１】
引き続き蓋体１を開けて行くと、蓋体側可動リンク５８及び灯具側可動リンク５６が伸び（図７の（Ｂ））、最大に伸びたときに、リンク機構５４によって、それ以上の開蓋が規制される（図７の（Ａ）：最大開放状態）。
また、蓋体側可動リンク５８及び灯具側可動リンク５６が直線状になったときに、蓋体側可動リンク５８が灯具側可動リンク５６に移動すると、上述したように、蓋体側可動リンク５８の他端部５８Ｂの縁５８Ｃに当接し、蓋体側可動リンク５８及び灯具側可動リンク５６が略直線状になった状態が保持され、これにより、蓋体１がリンク機構５４に閉蓋不能に保持されることとなる（図７の（Ｄ）：ロック状態）。
【００３２】
ロック状態を解除して蓋体１を閉じる場合には、蓋体１を開く等して、蓋体側可動リンク５８を灯具側可動リンク５６から引き離し、蓋体側可動リンク５８の他端部５８Ｂとストッパ板７１との係合を解く（図７の（Ｃ））。これにより、蓋体側可動リンク５８及び灯具側可動リンク５６が支持ピン５９を中心に互いの連結部で折り曲げ自在となり、例えばストッパ板７１を手前（先端部４Ｂ側）に引っ張る等して、灯具側可動リンク５６及び蓋体側可動リンク５８を支持ピン５９を中心に折り畳み（図７の（Ｅ）、（Ｆ）、（Ｇ））、これにより、蓋体１が完全に閉じたときには、蓋体支持装置５０は、リンク機構５４がコンパクトに折り畳まれた状態で灯具本体４に収納される（図７の（Ｇ）：閉蓋状態）。
【００３３】
ここで、例えば図７の（Ａ）の最大開放状態などのように、リンク機構５４の灯具側可動リンク５６及び蓋体側可動リンク５８が伸びる等して、蓋体側可動リンク５８の他端部５８Ｂとストッパ板７１との係合が解かれている状態においては、蓋体側可動リンク５８及び灯具側可動リンク５６の回動を規制するものが無いため、蓋体１を手などで押さえていなければ、勝手に蓋体１が閉じてしまうことになる。
そこで、本実施形態の蓋体支持装置５０においては、図４乃至図７に示すように、蓋体１の閉蓋動作に連動して、蓋体側可動リンク５８を灯具側可動リンク５６側に移動させるための誘導片８０が設けられている。
【００３４】
より詳細には、上記誘導片８０は、図５に示すように、蓋体側可動リンク５８の蓋体側固定リンク５２側の端部５８Ａに設けられ、蓋体１が閉じる方向に回動すると、この蓋体１と一体となって動く蓋体側固定リンク５２の下縁５２Ｃが誘導片８０に当接し、これにより、蓋体１が閉じる方向に回動すると、蓋体側可動リンク５８が灯具側可動リンク５６側に押圧される。この結果、蓋体側可動リンク５８の他端部５８Ｂがストッパ板７１に係合して、蓋体１が閉蓋不能に自動でロックされることとなる。
したがって、蓋体１がある程度開き、蓋体側可動リンク５８及び灯具側可動リンク５６が直線状になっている場合には、蓋体１が十分にロックされていない状態で手を離したとしても、蓋体１の動きに伴って自動で蓋体１が閉蓋不能にロックされるため、不意に蓋体１が閉じるといった事が無い。
【００３５】
また、灯具側可動リンク５６には、灯具側固定リンク５１との連結部に、長手方向に沿った長孔６３が形成されており、支持ピン５５が長孔６３に沿って移動することで、灯具側可動リンク５６が灯具側固定リンク５１に対して伸縮自在に構成されている。
これにより、リンク機構５４の両端５４Ａ、５４Ｂの距離が可変になされるため、図７の（Ａ）に示すように、蓋体１が最大に開いた最大開放状態と、図７の（Ｄ）に示すように、蓋体１が閉蓋不能にロックされたロック状態とで、蓋体１の開度θを異ならせることが可能となる。
【００３６】
このとき、灯具側可動リンク５６の長孔６３の長さ、すなわち、灯具側固定リンク５１に対する灯具側可動リンク５６の伸縮量を調節することで、例えば、図７の（Ａ）に示すように、最大開放状態時には開度θを鈍角（９０度以上）とし、また、図７の（Ｄ）に示すように、ロック状態のときには開度θを鋭角（９０度以下）とすることもできる。
特に、ロック状態のときの開度θを鋭角とすることで、照明器具２の背後（基端部４Ａ側）に建物の壁等が存在し、壁等に邪魔されて蓋体１を大きく開放できない場合であっても、開いた蓋体１を確実にロックすることが可能となる。
【００３７】
以上説明したように、本実施形態によれば、折り曲げ自在なリンク機構５４を備えた蓋体支持装置５０により、蓋体１を開いた状態で支持する構成としたため、当該蓋体１を閉じるきには、リンク機構５４をコンパクトに折り曲げた状態で灯具本体４に収納することが可能となり、スペースを有効に利用することができる。
さらに、リンク機構５４の一端５４Ａを灯具本体４の基端部４Ａ側に連結する構成としたため、蓋体１を開いたときには、リンク機構５４が灯具本体４の基端部４Ａ側から蓋体１にかけて伸びることとなり、灯具本体４の内部へ手を伸ばすときに、リンク機構５４が邪魔になることが無い。
【００３８】
特に、本実施形態によれば、リンク機構５４の一端５４Ａを支柱固定部１０よりも基端部４Ａ側に避けた位置に連結しているため、リンク機構５４が固定用ボルト１２の操作の邪魔になることが無く、これにより、安全かつ着実に固定用ボルト１２を操作することができる。
【００３９】
また本実施形態によれば、リンク機構５４の灯具側可動リンク５６及び蓋体側可動リンク５８を互いに可動自在及び移動自在に支持ピン５９で連結すると共に、開蓋に連動して灯具側可動リンク５６及び蓋体側可動リンク５８が略直線状になり、蓋体側可動リンク５８の端部５８Ｂが灯具側可動リンク５６側に移動したときに、この端部５８Ｂにストッパ機構７０のストッパ板７１が係合して蓋体側可動リンク５８の回動を規制し、これら灯具側可動リンク５６及び蓋体側可動リンク５８を略直線状に保持する構成とした。
これにより、開蓋に連動してストッパ機構７０が蓋体側可動リンク５８に自動で係合し回動を規制するため、ガススプリング等の別途の装置を用いずとも、係合構造だけで、開蓋に連動してストッパ機構７０を作動させ蓋体１を支持することができる。
【００４０】
また本実施形態によれば、蓋体支持装置５０は、閉蓋に連動して蓋体側固定リンク５２に押圧され、蓋体側可動リンク５８を蓋体側可動リンク５６側に移動する誘導片８０を有する構成としたため、蓋体１がある程度開き蓋体側可動リンク５８及び灯具側可動リンク５６を直線状とされていれば、蓋体１が十分にロックされていない状態で手を離したとしても、蓋体１の動きに伴って自動で蓋体１が閉蓋不能にロックされるため、不意に蓋体１が閉じるといったことが無い。
【００４１】
また本実施形態によれば、灯具側固定リンク５１に対して、灯具側可動リンク５６を支持ピン５５で伸縮自在に連結し、ロック状態における蓋体１の開度θを灯具側可動リンク５６の伸縮量により調整可能にした。これにより、ロック状態時の開度θを鋭角に調整することも可能となり、照明器具２の背後（基端部４Ａ側）に建物の壁等が存在し、壁等に邪魔されて蓋体１を大きく開放できない場合であっても、開いた蓋体１を確実にロックすることが可能となる。
【００４２】
なお、上述した実施形態は、あくまでも本発明の一態様を示すものであり、本発明の範囲内で任意に変形および応用が可能である。
【００４３】
例えば、上述した実施形態では、支柱３の先端部が下側から挿入されて固定される照明器具２を示したが、これに限らず、図８及び図９に示すように、基端部４Ａ側である背面側から支柱３の先端部が挿入されて支持される構成の照明器具１００に対しても、本発明を適用することが可能である。なお、図８及び図９において、上記の実施形態で説明した部材については同一の符号を付している。
【００４４】
この照明器具１００においては、図８に示すように、建物等の外壁２００から略水平に延出した支柱３の先端部が灯具本体４の基端部４Ａ側から挿入され、図９に示すように、灯具本体４の部品収納部７の略中央に配置された支柱固定部１７０に固定される。
この支柱固定部１７０は、支柱３の先端部を覆うようにして受ける支柱受け部１５０と、支柱受け部１５０を支柱３に固定する固定用ボルト１６０とを有して構成されている。
このような照明器具１００においても、蓋体支持装置５０が備えるリンク機構５４の一端５４Ａを支柱固定部１７０よりも基端部４Ａ側に避けた位置に連結することで、リンク機構５４が固定用ボルト１６０の操作の邪魔になることが無い。
【００４５】
ここで、図８に示すように、支柱３が短く外壁２００と照明器具１００とが近いと、外壁２００が邪魔になって蓋体１を大きく開くことができないことがある。
このような場合であっても、本発明によれば、蓋体支持装置５０は、上述したように、蓋体１の開度θが鋭角の状態で当該蓋体１をストッパ機構７０により閉蓋不能にロックすることができ、またロック状態においては、リンク機構５４を伸ばすことでストッパ機構７０によるロックを解除することができるため、蓋体１の開度θを大きくとれない場所であっても、蓋体支持装置５０のストッパ機構７０を十分に機能させることができる。
【００４６】
また、上述した実施形態においては、蓋体を本体に対して上方に開く構造の照明器具２、１００に、本発明の蓋体支持装置５０を適用したが、これに限らず、蓋体が下方に開く構造であっても、また、扉のように左右に開く構造であっても良い。
【図面の簡単な説明】
【００４７】
【図１】本発明の実施形態に係る照明器具の外観構成を示す図。
【図２】照明器具の内部構成を示す図。
【図３】灯具本体の部品収納部を拡大して示す平面図。
【図４】蓋体支持装置を拡大して示す斜視図。
【図５】開蓋時の蓋体支持装置を拡大して示す図。
【図６】閉蓋時の蓋体支持装置を拡大して示す図。
【図７】蓋体支持装置の動作を示す図。
【図８】本発明の変形例に係る照明器具の構成を示す断面図。
【図９】同照明器具の灯具本体の部品収納部を拡大して示す平面図。
【符号の説明】
【００４８】
１  蓋体
２、１００  照明器具
３  支柱
４  灯具本体
４Ａ  基端部
５  ランプ
７  部品収納部
１０、１７０  支柱固定部
１１、１５０  支柱受け部
１２、１６０  固定用ボルト
２０  ヒンジ
４０  ロック機構
５０  蓋体支持装置
５１  灯具側固定リンク（第１固定リンク）
５２  蓋体側固定リンク（第２固定リンク）
５４  リンク機構
５６  灯具側可動リンク（第１可動リンク）
５８  蓋体側可動リンク（第２可動リンク）
６１〜６３  長孔
７０  ストッパ機構
７１  ストッパ板
８０  誘導片
【図１】
0004831014.tif 000002
【図２】
0004831014.tif 000003
【図３】
0004831014.tif 000004
【図４】
0004831014.tif 000005
【図５】
0004831014.tif 000006
【図６】
0004831014.tif 000007
【図７】
0004831014.tif 000008
【図８】
0004831014.tif 000009
【図９】
0004831014.tif 000010